(57)【要約】【課題】トレイメンバの引き出し動作と補助トレイメンバの使用位置への反転動作を共通の摘み部を用いて連続的に行うことができるとともに、収納時にその摘み部が邪魔になりにくい用紙案内トレイを提供する。【解決手段】機器本体１に給紙口２又は排紙口３の少なくとも一方を備えてなる機器に設けられる用紙案内トレイであって、前記機器本体１に収まる収納位置４１（ｃ）、４２（ｃ）から前記給紙口２又は排紙口３を通過する用紙Ｐを案内し得る使用位置４１（ｏ）、４２（ｏ）までの間でスライド可能なトレイメンバ４１、４２と、基端縁がこのトレイメンバ４１、４２の最先端縁にヒンジ４２３を介して取り付けられ前記トレイメンバ４１、４２に重合する収納位置４３（ｃ）から前記用紙Ｐを案内し得る使用位置４３（ｏ）までの間で反転可能な補助トレイメンバ４３とを備えてなり、前記補助トレイメンバ４３の基端縁の一部に該補助トレイメンバ４３の厚み方向に膨出する摘み部４３１を設けたことを特徴とする。【選択図】図１０
2010132431.tif 000002
【特許請求の範囲】
【請求項１】
機器本体に給紙口又は排紙口の少なくとも一方を備えてなる機器に設けられる用紙案内トレイであって、前記機器本体に収まる収納位置から前記給紙口又は排紙口を通過する用紙を案内し得る使用位置までの間でスライド可能なトレイメンバと、基端縁がこのトレイメンバの最先端縁にヒンジを介して取り付けられ前記トレイメンバに重合する収納位置から前記用紙を案内し得る使用位置までの間で反転可能な補助トレイメンバとを備えてなり、前記補助トレイメンバの基端縁の一部に該補助トレイメンバの厚み方向に膨出する摘み部を設けたことを特徴とする用紙案内トレイ。
【請求項２】
複数枚のトレイメンバをテレスコープ状に引き出し可能に組み合わせてなり、最も先端側に引き出し得るトレイメンバが備えている前記最先端縁に前記補助トレイメンバを取り付けている請求項１記載の用紙案内トレイ。
【請求項３】
前記トレイメンバの最先端縁における前記摘み部に対応する部位に、前記摘み部を摘む動作を許容する切欠部を形成している請求項１又は２記載の用紙案内トレイ。
【請求項４】
最も先端側に引き出し得るトレイメンバを、その最先端縁が他のトレイメンバの先端縁に略合致し得る位置まで収納し得るようにしたものであって、他のトレイメンバの先端縁に前記摘み部を受け入れる受入凹部を形成している請求項３記載の用紙案内トレイ。
【請求項５】
前記補助トレイメンバが使用位置において前記トレイメンバの上面にほぼ連続する用紙案内面を備えている請求項１、２、３又は４記載の用紙案内トレイ。
【発明の詳細な説明】
【技術分野】
【０００１】
本発明は、機器の給紙口又は排紙口に備えられた用紙案内トレイに関する。
【背景技術】
【０００２】
給紙口又は排紙口に用紙を案内する役割を有する給紙トレイ又は排紙トレイ（以下、これらを「用紙案内トレイ」と呼ぶ。）を備えた機器として、スキャナ、プリンタ或いはファクシミリ等が知られている。
【０００３】
従来、この種の機器に装着されている用紙案内トレイとしては、機器本体に収まる収納位置から給紙口又は排紙口を通過する用紙を案内し得る使用位置までの間でスライド可能なトレイメンバと、基端縁がこのトレイメンバの最先端縁にヒンジを介して取り付けられ前記トレイメンバに重合する収納位置から前記用紙を案内し得る使用位置までの間で反転可能な補助トレイメンバとを備えたものが少なくない。その一例として、前記トレイメンバの先端縁にこのトレイメンバを機器本体から引き出すための取っ手を備えており、当該取っ手以外の部分で前記補助トレイメンバを起こし上げるものが知られている（例えば、特許文献１参照）。
【０００４】
ところが、このような構成のものでは、補助トレイメンバを使用する際には、前記取っ手を牽引してトレイメンバを機器本体から引き出す動作と、前記補助トレイメンバの先端を摘んで該補助トレイメンバを反転させる動作を行う必要があった。
【０００５】
そこで、このような補助トレイメンバを引き出す動作と補助トレイメンバを反転させる動作という２種類の動作を行うという煩雑さを解消するために、前記補助トレイメンバの先端縁にこのトレイメンバを機器本体から引き出すための取っ手をその先端縁から前方に突出して備え、当該取っ手を用いて補助トレイメンバを起こすことが考えられる。
【０００６】
しかしこのようなものであると、機器本体にトレイメンバが収納されているときに当該取っ手が機器本体の前面から突出する構造となり、用紙案内トレイを使用しないときにはこの取っ手の突出が邪魔になるという問題が生じる。
【特許文献１】特開２００６−３１５８６７号公報
【発明の開示】
【発明が解決しようとする課題】
【０００７】
本発明は、用紙案内トレイを使用するのに前述したような少なくとも２種類の動作を行わなければならないため煩雑な操作が必要になるという課題を、取っ手が邪魔になるという不具合の発生を招くことなく解消することを目的としている。
【課題を解決するための手段】
【０００８】
本発明は、以上のような課題を解決するために、次のような構成を採用したものである。すなわち、本発明に係る用紙案内トレイは、機器本体に給紙口又は排紙口の少なくとも一方を備えてなる機器に設けられる用紙案内トレイであって、前記機器本体に収まる収納位置から前記給紙口又は排紙口を通過する用紙を案内し得る使用位置までの間でスライド可能なトレイメンバと、基端縁がこのトレイメンバの最先端縁にヒンジを介して取り付けられ前記トレイメンバに重合する収納位置から前記用紙を案内し得る使用位置までの間で反転可能な補助トレイメンバとを備えてなり、前記補助トレイメンバの基端縁の一部に該補助トレイメンバの厚み方向に膨出する摘み部を設けたことを特徴とする。
【０００９】
このようなものであれば、摘み部を上下から摘むことができるため用紙案内トレイを使用位置まで引き出すのを容易にするとともに、摘み部の上面側に掛けている指で摘み部の縁を手前下方に引き下ろすと、この摘み部がレバーとしての機能を発揮して、前記補助トレイメンバを一気に使用位置に反転させることができる。摘み部が補助トレイメンバの厚み方向に膨出させてあれば、この摘み部の縁は前記ヒンジの回転中心から偏移することとなり、反転用の操作レバーとしての役割をも果たし得るからである。
【００１０】
このような用紙案内トレイの好適な例としては、複数枚のトレイメンバをテレスコープ状に引き出し可能に組み合わせてなり、最も先端側に引き出し得るトレイメンバが備えている前記最先端縁に前記補助トレイメンバを取り付けているものが挙げられる。
【００１１】
さらに、前記トレイメンバの最先端縁における前記摘み部に対応する部位に、前記摘み部を摘む動作を許容する切欠部を形成していれば、摘み部の厚み方向への膨出具合にかかわらず、摘み部を上下から摘んで用紙案内トレイを使用位置まで引き出す動作や、摘み部の上面側に掛けている指で摘み部の縁を手前下方に引き下ろす動作を容易に行うことができる。
【００１２】
前述した切欠部を最先端のトレイメンバに備えることに加えて、さらに、他のトレイメンバの先端縁に前記摘み部を受け入れる受入凹部を形成しておけば、最も先端側に引き出し得るトレイメンバを、その最先端縁が他のトレイメンバの先端縁に略合致し得る位置まで収納し得るように構成することが容易になるだけでなく、その収納状態において摘み部を上下から摘むことが可能になる。
【００１３】
このような補助トレイメンバには、使用位置において前記トレイメンバの上面にほぼ連続する用紙案内面を備えているものが好適である。
【発明の効果】
【００１４】
本発明によれば、トレイメンバの引き出し動作と補助トレイメンバの使用位置への反転動作を共通の摘み部を用いて連続的に行うことができるとともに、収納時にその摘み部が邪魔になりにくい用紙案内トレイを提供することができる。
【発明を実施するための最良の形態】
【００１５】
以下、本発明に係る機器がスキャナである場合の一実施形態につき、図面を参照して説明する。
【００１６】
このスキャナは、図１ないし図９に示すように、略水平方向に用紙Ｐを排出するための排紙口３を有した機器本体１と、この機器本体１の底壁１１側に設けられ排紙方向に引き出し可能な排紙トレイ４とを備えてなる。
【００１７】
機器本体１は、図１に示すように、上面後部に給紙口２を有するとともに前面下部に排紙口３を備え、内部に前記給紙口２と前記排紙口３とを連通させる用紙通路Ｔを形成してなる。この用紙通路Ｔは、前記機器本体１内に設けた前後対をなす壁体１３、１４間に形成されたものである。この用紙通路Ｔの給紙口２側には、分離可能に束ねられた複数枚の用紙Ｐを受け入れ可能な受入領域Ｔ１が設けてある。そして、この受入領域Ｔ１に受け入れられた複数枚の用紙Ｐの先端部分を捌く捌き装置６と、この捌き装置６により捌かれる用紙Ｐを給紙ローラ７１により一枚ずつ引き込む給紙装置７と、この給紙装置７により引き込まれた用紙Ｐを搬送ローラ８１、８２により排紙口３方向に搬送する搬送装置８と、この搬送装置８により搬送されている用紙Ｐの両面を撮像する撮像装置９とを前記用紙通路Ｔに沿って配している。撮像を終えた用紙Ｐは、前記搬送ローラ８１、８２により排紙口３方向に送られ、この排紙口３から排紙トレイ４上に排出されるようになっている。この機器本体１は、図８に示すように、両側壁１２の内側面と、これら両側壁１２の下端近傍部間に架設された底壁１１の下面とによって囲まれた偏平な底部空間Ｕを有しており、この底部空間Ｕに前記排紙トレイ４を前方に引き出し可能に収納している。
【００１８】
排紙トレイ４は、図２ないし図８に示すように、用紙Ｐを先に受ける基端側が前記底壁１１と略平行をなし且つ先端側に向かって漸次上昇するように湾曲する用紙案内面Ｓを備えたものである。この排紙トレイ４は、テレスコープ状に引き出し可能な複数枚のトレイメンバ４１、４２を備えてなる。具体的には、前記排紙トレイ４は、図２及び図３に示すように、前記機器本体１に保持され前記底壁１１に重合する収納位置４１（ｃ）から、図４及び図５に示すように、用紙Ｐを案内し得る使用位置４１（ｏ）までの間でスライド可能な第１のトレイメンバ４１と、この第１のトレイメンバ４１に保持され該第１のトレイメンバ４１に重合する収納位置４２（ｃ）から用紙Ｐを案内し得る使用位置４２（ｏ）までの間でスライド可能な第２のトレイメンバ４２とを備えてなる。しかして、前記用紙案内面Ｓは、前記第１のトレイメンバ４１の上面と、前記第２のトレイメンバ４２の上面とによって構成されている。
【００１９】
第１のトレイメンバ４１は、図４、図５及び図８に示すように、側面視部分円弧状に湾曲する上板４１１と、この上板４１１の下面における両側縁近傍に形成した側板４１２とを具備してなるもので、その上板４１１の左右両側縁部を前記機器本体１における側壁１２の内側面に配設した湾曲レール部１２１にスライド可能に支持させている。この第１のトレイメンバ４１における両側板４１２の内側には、前記第２のトレイメンバ４２をスライド可能に支持する案内レール部（図示せず）が形成されている。この案内レール部は前記側板４１２と平行を成すもので、第２のトレイメンバ４２の下面に一体に形成されている。前記側板４１２と前記案内レール部は上板４１１を補強するための補強リブとしての役割をも担っている。
【００２０】
第２のトレイメンバ４２は、図４、図５及び図８に示すように、側面視部分円弧状に湾曲する上板４２１と、この上板４２１の下面両側縁に形成した側板４２２とを具備してなるもので、その上板４２１の左右両側縁部を前記第１のトレイメンバ４１における側板４１２の内面に形成した案内レール部にスライド可能に支持させている。前記側板４２２と前記案内レール部は上板４２１を補強するための補強リブとしての役割をも担っている。この第２のトレイメンバ４２の上板４２１は、前記第１のトレイメンバ４１の上板４２１の下面と略同じ曲率で湾曲させてある。この第２のトレイメンバ４２の先端縁には、補助トレイメンバ４３がヒンジ４２３を介して取り付けられている。
【００２１】
補助トレイメンバ４３は、図４ないし図７に示すように、前記第２のトレイメンバ４２よりも狭い横幅寸法を有したもので、前記第２のトレイメンバ４２に重合する収納位置４３（ｃ）から前記用紙Ｐを案内し得る使用位置４３（ｏ）までの間で反転可能となっている。この補助トレイメンバ４３は、板状のもので、前記第２のトレイメンバ４２の上面に形成した凹陥部４２４に嵌り込むようにして該第２のトレイメンバ４２に重合するようにしてあり、補助トレイメンバ４３を重合させた状態で前記第２のトレイメンバ４２を前記第１のトレイメンバ４１の下に収納することができるようになっている。
【００２２】
この補助トレイメンバ４３の基端縁中央部分には、図７に示すように、該補助トレイメンバ４３の厚み方向に膨出する摘み部４３１が設けてある。具体的には、この摘み部４３１は、前記補助トレイメンバ４３の基端縁中央部分を用紙案内面Ｓと反対側へ部分球面状に膨出させたもので、摘み部４３１の端は、排紙トレイ４を完全に収納した状態において、図２に示すように、前記両トレイメンバ４１、４２の先端縁と平面視において略連続するように形成されている。換言すれば、この摘み部４３１は、収納状態において、前記両トレイメンバ４１、４２の先端縁から前方に突出することがないような形状をなしている。しかして、図８に示すように、前記第２のトレイメンバ４２の先端縁中央部分には、前記摘み部４３１を上下から摘む動作を許容するための切欠部４２５が形成してある。また、図６に示すように、前記第１のトレイメンバ４１の先端縁中央部分には、収納時に前記摘み部４３１を受け入れるための受入凹部４１３が形成されている。さらに、この実施形態では、前記排紙トレイ４全体を、両トレイメンバ４１、４２の先端縁が前記機器本体１の底壁１１の前縁に平面視において略合致する位置まで収納し得るようにしてあるため、前記底壁１１の前縁中央部分にも、前記摘み部４３１を受け入れるための受入凹部１１１が形成されている。さらに、前記摘み部４３１の先端縁における高さ位置は、前記底壁１１の上面よりも低く、又は略同じ高さとしており、排紙トレイ４を完全に収納した状態において、図３に示すように、前記摘み部４３１が前記受入凹部１１１、４１３に嵌め込まれるように形成されている。換言すれば、この摘み部４３１は、収納状態において、前記底壁１１から上方に突出することがないような形状をなしている。したがって、摘み部４３１が厚み方向に膨出しているにもかかわらず、収納した状態の厚み方向の嵩が高くなることを抑制できる。
【００２３】
このような構成のものであれば、排紙トレイ４を機器本体１に押入させることによって、該排紙トレイ４全体を略完全に底壁１１の下に収納することができる。かかる収納状態から、前記摘み部４３１を上下から摘んで手前に牽引すると、図９に示すように、この排紙トレイ４の第１のトレイメンバ４１と第２のトレイメンバ４２とをテレスコープ状に引き出すことができ、湾曲した用紙案内面Ｓが表出することになる。
【００２４】
この状態でスキャナを使用した場合、機器本体１の排紙口３から導出される用紙Ｐの先端は、まず用紙案内面Ｓの水平な部分で案内支持された後、漸次上方に持ち上げられながら排出される。そのため、平面姿勢のまま用紙Ｐを案内する場合に比べて、用紙Ｐに対する減速作用が大きくなり、用紙Ｐが排紙トレイ４を越えて前方に滑落する可能性を効果的に抑制することができる。また、このような排紙トレイ４であれば、用紙Ｐの先端側が斜め上前方に反り上がるようにしてはみ出すことになる。そのため、用紙Ｐが反り上がることなく平面姿勢ではみ出す場合よりもはみ出し部分が垂れ下がる可能性を低くすることができる。したがって、引き出し寸法の比較的小さな排紙トレイ４を用いて比較的大きな寸法の用紙Ｐを適切に受け止めることが可能となる。
【００２５】
また、摘み部４３１上に乗り上げるようにして用紙Ｐが排出されるため、用紙Ｐと摘み部４３１の周辺との間には、隙間ができる。したがって、排出された用紙Ｐが排紙トレイ４に密着して取りにくくなることを抑制できる。
【００２６】
さらに大きな用紙Ｐをスキャンする場合には、排紙トレイ４のトレイメンバ４１、４２の上面にほぼ連続する用紙案内面Ｓを備えている補助トレイメンバ４３を使用位置４３（ｏ）に反転させればよい。すなわち、図９に示すように、摘み部４３１を上下から摘んで第１、第２のトレイメンバ４２を使用位置４３（ｏ）まで引き出した後、図１０に示すように、摘み部４３１の上面側に掛けている指で摘み部４３１の縁を手前下方に引き下ろすと、この摘み部４３１がレバーとしての機能を発揮して、図１１に示すように、前記補助トレイメンバ４３が一気に使用位置４３（ｏ）に反転することになる。前記摘み部４３１は、該補助トレイメンバ４３の厚み方向に膨出させてあるため、この摘み部４３１の縁は前記ヒンジ４２３の回転中心から偏移することとなり、反転用の操作レバーとしての役割をも果たすことになるからである。
【００２７】
このように、本実施形態に係るスキャナは、第１のトレイメンバ４１のみ引き出す第一態様、第２のトレイメンバ４２をさらに引き出す第二態様、さらに補助トレイメンバ４３を使用位置４３（ｏ）に反転させる第三態様、並びに、トレイメンバ４１、４２を完全に引き出すことなく収納状態と第一態様との間の中間態様や、第一態様と第二態様との間の中間態様での使用等、排紙される用紙Ｐの大きさに合わせて排紙トレイ４の態様を選択し、種々の状況に対応させることができる。
【００２８】
以上のような構成とすることにより、本実施形態に係る用紙案内トレイは、機器本体１に給紙口２又は排紙口３の少なくとも一方を備えてなる機器に設けられる用紙案内トレイであって、前記機器本体１に収まる収納位置４２（ｃ）から前記給紙口２又は排紙口３を通過する用紙Ｐを案内し得る使用位置４２（ｏ）までの間でスライド可能な第２のトレイメンバ４２と、基端縁がこの第２のトレイメンバ４２の最先端縁にヒンジ４２３を介して取り付けられ当該第２のトレイメンバ４２に重合する収納位置４３（ｃ）から前記用紙Ｐを案内し得る使用位置４３（ｏ）までの間で反転可能な補助トレイメンバ４３とを備えてなり、前記補助トレイメンバ４３の基端縁中央部分を用紙案内面Ｓと反対側へ部分球面状に膨出する摘み部４３１を設けたことを特徴とするので、摘み部４３１を上下から摘むことができるため用紙案内トレイを使用位置４３（ｏ）まで引き出すのを容易にするとともに、摘み部４３１の上面側に掛けている指で摘み部４３１の縁を手前下方に引き下ろすと、この摘み部４３１がレバーとしての機能を発揮して、補助トレイメンバ４３を一気に使用位置４３（ｏ）に反転させることができる。また、摘み部４３１が補助トレイメンバ４３の厚み方向に膨出させてあるので、この摘み部４３１の縁は前記ヒンジ４２３の回転中心から偏移することとなり、反転用の操作レバーとしての役割をも果たし、補助トレイメンバ４３を容易に反転させることができる。
【００２９】
また、２枚のトレイメンバ４１、４２をテレスコープ状に引き出し可能に組み合わせてなり、最も先端側に引き出し得る第２のトレイメンバ４２が備えている前記最先端縁に前記補助トレイメンバ４３を取り付けているものであるので、第１のトレイメンバ４１及び第２のトレイメンバ４２を機器本体１から引き出す際には摘み部４３１によって使用位置４３（ｏ）まで引き出すのを容易にするとともに、第２のトレイメンバ４２まで引き出した状態でさらに補助トレイメンバ４３を反転させる際には摘み部４３１によって使用位置４３（ｏ）まで反転させるのを容易にする。
【００３０】
第２のトレイメンバ４２の最先端縁における前記摘み部４３１に対応する部位に、前記摘み部４３１を摘む動作を許容する切欠部４２５を形成しているので、第２のトレイメンバ４２と補助トレイメンバ４３の摘み部４３１との間に形成される厚み方向の隙間が使用者の指に対して比較的小さいものであっても摘み部４３１を使用者が容易に摘むことができ、操作をしやすいものにすることができる。
【００３１】
最も先端側に引き出し得る第２のトレイメンバ４２を、その最先端縁が第１のトレイメンバ４１の先端縁に略合致し得る位置まで収納し得るようにしたものであって、第１のトレイメンバ４１の先端縁及び機器本体１の底壁１１前縁の中央部分に前記摘み部４３１を受け入れる受入凹部４１３、１１１を形成しているため、用紙案内トレイを完全に収納した状態において、前記摘み部４３１が他のトレイメンバ４１、４２の先端縁から前方に突出することがないため、従来の用紙案内トレイのような引っ掛かりを防ぐことができる。さらに、摘み部４３１が厚み方向に膨出していても、その膨出部分が第１のトレイメンバ４１及び機器本体１の底壁１１に形成された受入凹部１１１、４１３に嵌め合わせられ、第１のトレイメンバ４１、第２のトレイメンバ４２及び補助トレイメンバ４３を重ね合わせて機器本体１下部に収納することができる。すなわち、摘み部４３１の膨出部分の厚みがある程度大きくなっても、トレイメンバ４１、４２と重ね合わせて機器本体１に収納できるとともに、摘み部４３１が前記収納状態にあるにもかかわらず、摘み部４３１を上下から摘む動作を許容するものとなっている。
【００３２】
さらに補助トレイメンバ４３には、使用位置において前記トレイメンバ４１、４２の上面にほぼ連続する用紙案内面Ｓを備えているので、比較的大きな用紙Ｐを使用する場合であっても、補助トレイメンバ４３上の用紙案内面Ｓ上に用紙Ｐが案内され、用紙Ｐの先端が排紙トレイ４よりも先方にはみだすこと及びそのはみ出し部分が下方に垂れ下がる可能性を低くすることができる。
【００３３】
なお、本発明は以上に述べたような実施形態に限らず種々変更可能である。
【００３４】
排紙トレイは、以上説明した実施形態のものに限定されないのは勿論であり、補助トレイメンバを有しないものであってもよい。また、二枚のトレイメンバを備えたもの以外に、三枚以上のトレイメンバをテレスコープ状に組み合わせたものや、一枚のトレイメンバのみからなるもの等であってもよい。
【００３５】
なお、前記実施形態では排紙口に用紙を案内する排紙トレイについて説明したが、これに限られず給紙口に用紙を案内する給紙トレイにも同様に適用が可能である。
【００３６】
また、前記実施形態では、卓上に載置して使用する機器について説明したが、それ以外の形態の機器にも同様に適用が可能である。しかしながら、本発明を卓上機器に適用すれば、限られたスペースである卓上を有効利用することが可能になる。すなわち、排紙トレイの先端側が斜め前方に反り上がっているため、同じ大きさの用紙を排出したときに、用紙を平面姿勢のまま用紙を案内する場合に比べて、機器本体の排紙口より手前のスペースをより小さくできる。さらに、排紙トレイの先端側の下側空間が自由に使えるため、卓上に機器を載置した場合に、当該機器の排出口付近に筆記用具や書類等が載置されていたとしてもこれらが前記下側空間に収まる構造となり、機器を使用するにあたって機器の排出口付近を片付ける必要がなくなる点で有効である。
【００３７】
さらに、摘み部は、図示したような補助トレイメンバの基端縁中央部分を用紙案内面と反対側へ部分球面状に膨出させたものに限られず、摘み部を設ける位置及び形状は種々変更可能である。また切欠部及び受入凹部の位置及び形状は、摘み部を設ける位置及び形状に応じて使用者が摘み部を摘む動作を容易にするものであれば、上記説明したものに限られない。
【００３８】
また、排紙口に排紙トレイを備えた機器であれば、上記説明したスキャナに限られず、プリンタ或いはファクシミリ等であってもよい。
【００３９】
以上、本実施形態について詳述したが、本発明は上記実施形態に限定されるものではなく、その他各部の具体的構成は、本発明の趣旨を逸脱しない範囲で種々変形が可能である。
【図面の簡単な説明】
【００４０】
【図１】本発明の一実施形態を示す全体右側断面図。
【図２】同実施形態の排紙トレイを収納した状態を示す斜視図。
【図３】同実施形態の排紙トレイを収納した状態を示す部分側断面図。
【図４】同実施形態の第１及び第２のトレイメンバを引き出した状態を示す斜視図。
【図５】同実施形態の第１及び第２のトレイメンバを引き出した状態を示す部分側断面図。
【図６】同実施形態の補助トレイを引き出した状態を示す斜視図。
【図７】同実施形態の補助トレイを引き出した状態を示す部分側断面図。
【図８】同実施形態の第１のトレイメンバを引き出した状態を示す底面斜視図。
【図９】同実施形態の作用を説明するための部分側断面図。
【図１０】同実施形態の作用を説明するための部分側断面図。
【図１１】同実施形態の作用を説明するための部分側断面図。
【符号の説明】
【００４１】
１…機器本体
２…給紙口
３…排紙口
（ｃ）…収納位置
（ｏ）…使用位置
４２３…ヒンジ
４３…補助トレイメンバ
４３１…摘み部
４２５…切欠部
１１１、４１３…受入凹部
Ｓ…用紙案内面
Ｐ…用紙
【図１】
2010132431.tif 000003
【図２】
2010132431.tif 000004
【図３】
2010132431.tif 000005
【図４】
2010132431.tif 000006
【図５】
2010132431.tif 000007
【図６】
2010132431.tif 000008
【図７】
2010132431.tif 000009
【図８】
2010132431.tif 000010
【図９】
2010132431.tif 000011
【図１０】
2010132431.tif 000012
【図１１】
2010132431.tif 000013